(57)【特許請求の範囲】
【請求項１】
２次元状に配置された複数のサブ画素として配置される複数の画素電極と、
複数の色成分を有し、該複数の色成分の何れかの色成分が前記複数の画素電極のそれぞれに対応して形成されるカラーフィルタと、
前記各画素電極にソース電極及びドレイン電極のうちいずれか一方が接続されているスイッチング用薄膜トランジスタと、
前記各スイッチング用薄膜トランジスタのゲート電極に走査信号を供給するための走査線と、
前記走査線と直交し前記各スイッチング用薄膜トランジスタのソース電極及びドレイン電極のうち前記画素電極が接続していない方に接続されてデータ信号を供給するための信号線と、
前記走査線と接続し前記信号線と平行に配設された引き回し線と、
を具備し、
全ての前記引き回し線は各々、該引き回し線と視感度が低い色に対応した前記サブ画素を制御するデータ信号を伝達する全ての前記信号線との距離のうち最短となる距離が、該引き回し線と前記視感度が低い色よりも視感度が高い色に対応した前記サブ画素を制御するデータ信号を伝達する全ての前記信号線との距離のうち最短となる距離よりも短くなるように配設されていることを特徴とする表示装置。
【請求項２】
前記視感度が低い色は青色であることを特徴とする請求項１に記載の表示装置。
【請求項３】
前記視感度が低い色は青色と赤色であることを特徴とする請求項１に記載の表示装置。
【請求項４】
前記走査線を駆動制御するための走査ドライバと、
前記信号線を駆動制御するための信号ドライバと、
を具備し、
前記走査ドライバと前記信号ドライバとは、前記表示装置の前記引き回し線と前記信号線との延長線上の位置に併設されることを特徴とする請求項１乃至３のうちいずれか１項に記載の表示装置。
【請求項５】
２次元状に配置された複数のサブ画素として配置される複数の画素電極と、
複数の色成分を有し、該複数の色成分の何れかの色成分が前記複数の画素電極のそれぞれに対応して形成されるカラーフィルタと、
前記各画素電極にソース電極及びドレイン電極のうちいずれか一方が接続されているスイッチング用薄膜トランジスタと、
前記各スイッチング用薄膜トランジスタのゲート電極に走査信号を供給するための走査線と、
前記走査線と直交し前記各スイッチング用薄膜トランジスタのソース電極及びドレイン電極のうち前記画素電極が接続していない方に接続されてデータ信号を供給するための信号線と、
前記信号線と接続し前記走査線と平行に配設された引き回し線と、
を具備し、
全ての前記引き回し線は各々、該引き回し線と全ての前記走査線との距離のうち最短となる距離が、該引き回し線が伝達するデータ信号により制御される前記サブ画素に対応した色の視感度よりも視感度が高い色に対応した前記サブ画素を制御するデータ信号を伝達する全ての前記引き回し線と全ての前記走査線との距離のうち最短となる距離よりも短くなるように配設されていることを特徴とする表示装置。
【請求項６】
前記視感度が低い色は青色であることを特徴とする請求項５に記載の表示装置。
【請求項７】
前記視感度が低い色は青色と赤色であることを特徴とする請求項５に記載の表示装置。
【請求項８】
前記走査線を駆動制御するための走査ドライバと、
前記信号線を駆動制御するための信号ドライバと、
を具備し、
前記走査ドライバと前記信号ドライバとは、前記表示装置の前記引き回し線と前記走査線との延長線上の位置に併設されることを特徴とする請求項５乃至７のうちいずれか１項に記載の表示装置。
【発明の詳細な説明】
【技術分野】
【０００１】
本発明は、表示装置、特にカラーフィルタを備えた表示装置に関する。
【背景技術】
【０００２】
近年液晶表示装置の市場は拡大している。中でも携帯電話機市場は、多様な情報サービスの提供により生産量が拡大し、液晶表示装置の大きな市場である。携帯電話機市場において、液晶表示装置の小型・軽量・薄型化の要望が大きい。このような要望に対し、液晶表示装置の駆動制御のためのドライバを表示領域の一辺に配置することで液晶表示装置の狭額縁化を図ることで、携帯電話機のスリム化に寄与する技術が例えば特許文献１に開示されている。この特許文献１は、走査線用の駆動ドライバを、信号線用の駆動ドライバの側に配置し、走査線と走査線用の駆動ドライバとの接続配線路を、表示領域外において信号線と平行に引き回す技術を開示している。
【先行技術文献】
【特許文献】
【０００３】
【特許文献１】特開２００７−３１６１０５号公報
【発明の概要】
【発明が解決しようとする課題】
【０００４】
しかしながら例えば上記特許文献１の様に、走査線と走査線用の駆動ドライバとを接続する配線路を、表示領域外に信号線と平行に配置すると、該配線のためのスペースが必要となる。そのため、この該配線のためのスペースを削減すれば更なる狭額縁化を図ることができる。
【０００５】
本発明は、上記の事情に鑑みてなされたもので、走査線と走査線用の駆動ドライバとを接続する配線路並びに信号線と信号線用の駆動ドライバとを接続する配線路を、表示領域内に配設することで、小型・省スペースであり表示領域が相対的に大きな表示装置を提供することを目的とする。
【課題を解決するための手段】
【０００６】
前記目的を果たすため、本発明の表示装置の一態様は、２次元状に配置された複数のサブ画素として配置される複数の画素電極と、複数の色成分を有し、該複数の色成分の何れかの色成分が前記複数の画素電極のそれぞれに対応して形成されるカラーフィルタと、
前記各画素電極にそのソース及びドレインのうちいずれか一方が接続されているスイッチング用薄膜トランジスタと、前記各スイッチング用薄膜トランジスタのゲートに走査信号を供給するための走査線と、前記走査線と直交し前記各スイッチング用薄膜トランジスタのソース及びドレインのうち前記画素電極が接続していない方にデータ信号を供給するための信号線と、前記走査線と接続し前記信号線と平行に配設された引き回し線と、を具備し、全ての前記引き回し線は各々、該引き回し線と視感度が低い色に対応した前記サブ画素を制御するデータ信号を伝達する全ての前記信号線との距離のうち最短となる距離が、該引き回し線と前記視感度が低い色よりも視感度が高い色に対応した前記サブ画素を制御するデータ信号を伝達する全ての前記信号線との距離のうち最短となる距離よりも短くなるように配設されていることを特徴とする。
【０００７】
また、本発明の表示装置の別の一態様は、２次元状に配置された複数のサブ画素として配置される複数の画素電極と、複数の色成分を有し、該複数の色成分の何れかの色成分が前記複数の画素電極のそれぞれに対応して形成されるカラーフィルタと、前記各画素電極にそのソース及びドレインのうちいずれか一方が接続されているスイッチング用薄膜トランジスタと、前記各スイッチング用薄膜トランジスタのゲートに走査信号を供給するための走査線と、前記走査線と直交し前記各スイッチング用薄膜トランジスタのソース及びドレインのうち前記画素電極が接続していない方にデータ信号を供給するための信号線と、前記信号線と接続し前記走査線と平行に配設された引き回し線と、を具備し、全ての前記引き回し線は各々、該引き回し線と全ての前記走査線との距離のうち最短となる距離が、該引き回し線が伝達するデータ信号により制御される前記サブ画素に対応した色の視感度よりも視感度が高い色に対応した前記サブ画素を制御するデータ信号を伝達する全ての前記引き回し線と全ての前記走査線との距離のうち最短距離よりも短くなるように配設されていることを特徴とする。
【発明の効果】
【０００８】
本発明によれば、走査線と走査線用の駆動ドライバとを接続する配線路並びに信号線と信号線用の駆動ドライバとを接続する配線路を、表示領域内に配設することで、小型・省スペースであり表示領域を相対的に大きくすることができる。
【図面の簡単な説明】
【０００９】
【図１】本発明の各実施形態に係る液晶表示装置を備えた電子機器の一例としての携帯電話機の外観を示す図である。
【図２】本発明の第１の実施形態に係る液晶表示装置の構成の例を示す図である。
【図３】走査ドライバの動作の例を示すタイミングチャートである。
【図４】信号ドライバの構成の例を示す図である。
【図５】本発明の第１の実施形態に係る走査線、信号線及び引き回し線の配置例の概要を示す図である。
【図６】本発明の第１の実施形態に係る引き回し線を有する薄膜トランジスタ液晶表示装置の構造の例を示す図である。
【図７】第１の実施形態の第１の変形例に係る走査線、信号線及び引き回し線の配置例の概要を示す図である。
【図８】第１の実施形態の第２の変形例に係る液晶表示装置の構成の例を示す図である。
【図９】本発明の第２の実施形態に係る液晶表示装置の構成の例を示す図である。
【図１０】本発明の第２の実施形態に係る走査線、信号線及び引き回し線の配置例の概要を示す図である。
【図１１】本発明の第２の実施形態に係る引き回し線を有する薄膜トランジスタ液晶表示装置の構造の例を示す図である。
【図１２】本発明の第２の実施形態の第１の変形例に係る引き回し線を有する薄膜トランジスタ液晶表示装置の構造の例を示す図である。
【発明を実施するための形態】
【００１０】
以下、図面を参照して本発明の実施形態について説明する。
【００１１】
［第１の実施形態］
まず、本発明の第１の実施形態について図面を参照して説明する。図１は、本発明の各実施形態に係る液晶表示装置を備えた電子機器の一例としての携帯電話機の外観を示す図である。図１に示す携帯電話機１０は、マイクロフォン１１と、アンテナ１２と、スピーカ１３と、液晶表示装置１４と、操作部１５とを有している。
【００１２】
マイクロフォン１１は、携帯電話機１０の使用者によって入力される音声を電気信号に変換するものである。アンテナ１２は、携帯電話機１０が図示しない基地局と通信するためのアンテナである。スピーカ１３は、別の携帯電話機等から基地局を経由してアンテナ１２で受信された音声信号を音声に変換して出力するものである。液晶表示装置１４は、各種の画像を表示するものである。操作部１５は、携帯電話機１０の使用者が携帯電話機１０の操作を行うための操作部である。
【００１３】
図２は、本実施形態に係る液晶表示装置１４の構成を示す図である。図２に示すように、液晶表示装置１４は、表示パネル１００と、走査ドライバ２００と、信号ドライバ３００と、制御部４００と、電源調整回路５００とを有している。  
表示パネル１００は、液晶表示装置１４の外部から供給される画像データＤに基づく画像を表示する表示部である。この表示パネル１００は、画素側基板１０１と対向側基板１０２との間に液晶層ＬＣが狭持されて構成されている。  
画素側基板１０１と対向側基板１０２とはシール材１０３によって接着され、またこのシール材１０３によって画素側基板１０１と対向側基板１０２との間から液晶層ＬＣを構成する液晶が漏れ出さないように封止されている。
【００１４】
また、画素側基板１０１はガラス基板等の基板であり、複数の走査線Ｇａｔｅ（ｊ）（ｊ＝１、２、…、ｎ）と複数の信号線Ｓ（ｉ）（ｉ＝１、２、…、ｍ）とがそれぞれ交差するように延伸配設されている。さらに、走査線Ｇａｔｅ（ｊ）と信号線Ｓ（ｉ）との各交点に対応した位置にはサブ画素Ｐｉｘが配置され、このサブ画素Ｐｉｘは走査線Ｇａｔｅ（ｊ）と信号線Ｓ（ｉ）のそれぞれに電気的に接続されている。したがって、各走査線にはｉ個のサブ画素Ｐｉｘが接続され、各信号線にはｊ個のサブ画素Ｐｉｘが接続される。なお、図２は、簡単のためｎ＝４、ｍ＝４とした模式図である。
【００１５】
画素側基板１０１は、例えばガラス基板等で構成されている。この画素側基板１０１には、表示画素を構成するための複数のサブ画素Ｐｉｘのそれぞれに対応して例えばＩＴＯ（酸化インジウム錫）膜等の透明導電膜で構成された画素電極１０１１が形成されている。そして、画素電極１０１１はスイッチング素子としての薄膜トランジスタ（ＴＦＴ）１０１２のソース電極に接続されている。また、ＴＦＴ１０１２のゲート電極はサブ画素Ｐｉｘが対応している走査線Ｇａｔｅ（ｊ）に接続され、ドレイン電極はサブ画素Ｐｉｘが対応している信号線Ｓ（ｉ）にそれぞれ接続されている。さらに、画素電極１０１１とＴＦＴ１０１２とは絶縁膜によって他のサブ画素Ｐｉｘにおける画素電極１０１１とＴＦＴ１０１２と絶縁されている。さらに、画素電極１０１１には、画素電極１０１１を覆うようにして、液晶層ＬＣを構成する液晶の初期配向状態を規定するための配向膜が形成されている。
【００１６】
一方、対向側基板１０２はガラス基板等の透明性を有する基板である。この対向側基板１０２の画素側基板１０１との対向面側には格子状の遮光膜が形成されている。遮光膜は、その開口部が画素電極１０１１に対応した位置となるように形成され、これによって遮光膜はブラックマトリクスとして機能する。また、この遮光膜によって形成される開口部には、サブ画素Ｐｉｘ毎に所定の色成分（例えば、赤（Ｒ）、緑（Ｇ）、青（Ｂ））に対応したカラーフィルタが配設されている。さらに、カラーフィルタにはコモン電極が形成されている。このコモン電極の電位は、各サブ画素Ｐｉｘにおいて共通の電位Ｖｃｏｍとなっている。また、コモン電極には、画素側基板１０１と同様に、液晶層ＬＣを構成する液晶の初期配向状態を規定するために配向膜が形成されている。
【００１７】
一般に、液晶表示装置においては、走査線上の信号を制御する走査ドライバを走査線の延長線上に、信号線上の信号を制御する信号ドライバを信号線の延長線上に配置する例が多い。これに対して、本実施形態に係る液晶表示装置１４では、小型・省スペース化のため、走査ドライバ２００及び信号ドライバ３００を信号線Ｓ（ｉ）の延長線上である表示領域の一辺に配置している。そして、信号線Ｓ（ｉ）に対して平行に引き回し線を沿わせ、この引き回し線から、信号線Ｓ（ｉ）と交差するように走査線Ｇａｔｅ（ｊ）を延伸配設している。
【００１８】
図２に示す走査ドライバ２００は、シフトレジスタ等を備えて構成され、表示パネル１００の走査線Ｇａｔｅ（ｊ）に走査信号を順次印加する。走査ドライバ２００には、制御部４００から垂直同期信号Ｖｓと、水平同期信号Ｈｓとしての第１ゲートクロック信号ＧＣＫ１及び第２ゲートクロック信号ＧＣＫ２とが入力される。図３に示すように、走査ドライバ２００は、垂直同期信号Ｖｓが入力される毎に、ｎ本の走査線への走査信号の印加を開始する。この際、走査ドライバ２００は、制御部４００からの水平制御信号Ｈｓを受ける毎に、１行分のＴＦＴ１０１２をオンするための走査信号をゲートオフレベルＶｇｌからゲートオンレベルＶｇｈに切り替える。なお、第１ゲートクロック信号ＧＣＫ１と第２ゲートクロック信号ＧＣＫ２とは互いに逆位相の矩形信号である。
【００１９】
図３に示すように、垂直制御信号Ｖｓは表示パネル１００の１画面分の表示を行うための期間である１フレーム毎に印加される。また、水平制御信号Ｈｓは表示パネル１００の１行分（１本の走査線分）のデータ信号を書き込むための期間である１水平期間毎に印加される。この水平制御信号Ｈｓに同期するように、走査ドライバ２００は、走査線Ｇａｔｅ（１）から順次、電位をゲートオンレベルＶｇｈとする。走査線Ｇａｔｅ（ｊ）の電位がゲートオンレベルＶｇｈとなることにより、当該走査線Ｇａｔｅ（ｊ）に接続されているＴＦＴ１０１２がオン状態となる。このとき、そのオン状態となったＴＦＴ１０１２を介して信号線Ｓ（ｉ）に印加されているデータ信号が対応するサブ画素Ｐｉｘの画素電極１０１１に印加される。
【００２０】
信号ドライバ３００は、表示パネル１００の信号線Ｓ（ｉ）にデータ信号を印加する。この信号ドライバ３００は、図４に示すように、サンプリングメモリ３０１、データラッチ部３０２、Ｄ／Ａ変換回路（ＤＡＣ）３０３、及び表示信号電圧生成回路３０４を有している。
【００２１】
サンプリングメモリ３０１は、制御部４００から出力される水平同期信号Ｈｓを受けて、１水平期間分に相当するｉ個のサブ画素Ｐｉｘに対応した画像データＤを、基準クロック信号ＣＬＫに同期して１画素分ずつ順次記憶する。このため、サンプリングメモリ３０１は、信号線Ｓ（ｉ）の数と同数のデータ格納領域を備えている。ここで、画像データＤは、各サブ画素で表示すべき階調レベル情報であり、例えば８ビットのデジタルデータとして表される。  
データラッチ部３０２は、水平同期信号Ｈｓを受けてサンプリングメモリ３０１の各格納領域に記憶されている１水平期間分の画像データＤを一斉に取り込み、取り込んだ画像データをＤ／Ａ変換回路３０３に出力する。
【００２２】
Ｄ／Ａ変換回路３０３は、データラッチ部３０２から出力された画像データＤをデコードし、デコードした結果として示される階調レベル情報に対応したデータ信号を表示信号電圧生成回路３０４から供給されるデータ信号の中から選択して対応する信号線Ｓ（ｉ）に出力する。このＤ／Ａ変換回路３０３は、複数のＤＡＣ部３０３１及び出力アンプ部３０３２を有している。ＤＡＣ部３０３１は、画像データＤのデコード結果に応じて表示信号電圧生成回路３０４から供給されるデータ信号を選択する。出力アンプ部３０３２は、対応するＤＡＣ部３０３１によって選択されたデータ信号を増幅して対応する信号線Ｓ（ｉ）に出力する。信号線Ｓ（ｉ）に出力されたデータ信号は、走査ドライバ２００によってオン状態とされたＴＦＴ１０１２を介して画素電極１０１１に印加される。これにより、データ信号の印加によって画素電極１０１１に発生する画素電極電圧とコモン電圧との差の電圧が液晶層ＬＣに印加され、対応するサブ画素での画像表示が行われる。
【００２３】
表示信号電圧生成回路３０４は、画像データＤが取り得る階調レベル（例えばＤが８ビットのデジタルデータとして表される場合には２５６階調）に対応したデータ信号を、例えば、所定の電源電圧を階調レベル数に対応した複数の抵抗によって分割する抵抗分割方式によって生成する。
【００２４】
ここで、図２に戻って説明を続ける。図２に示す制御部４００は、表示パネル１００に所望の画像が表示されるように走査ドライバ２００や信号ドライバ３００を制御する。即ち、制御部４００は、入力された画像データＤと、その出力タイミングに同期した垂直同期信号Ｖｓ、水平同期信号Ｈｓ、及び基準クロック信号ＣＬＫ等の各種制御信号を生成して出力する。
【００２５】
電源調整回路５００は、所定の電源からコモン電圧Ｖｃｏｍ、走査信号のゲートオフレベルＶｇｌ及びゲートオンレベルＶｇｈ、データ信号を生成するための電源電圧を生成し、生成したそれぞれの電圧を対応するブロックに供給する。
【００２６】
次に、上述した構成を有する本実施形態に係る液晶表示装置における、走査線Ｇａｔｅ（ｊ）、信号線Ｓ（ｉ）及び走査線Ｇａｔｅ（ｊ）を走査ドライバ２００に接続するための引き回し線について、図５を参照して説明する。本実施形態に係る液晶表示装置では、前述の通り省スペース化のため、走査線６０１に接続している引き回し線６１１を信号線６０６に沿わせて配線している。図５において、Ｇａｔｅ（ｊ）乃至Ｇａｔｅ（ｊ＋２）は走査線６０１を表し、Ｒ（ｉ）乃至Ｒ（ｉ＋２）は赤色（Ｒ）に対応したデータ信号を伝達する信号線６０６を、Ｇ（ｉ）乃至Ｇ（ｉ＋２）は緑色（Ｇ）に対応したデータ信号を伝達する信号線６０６を、Ｂ（ｉ）乃至Ｂ（ｉ＋２）は青色（Ｂ）に対応したデータ信号を伝達する信号線６０６をそれぞれ表している。
【００２７】
ここで、引き回し線６１１を信号線に沿わせて配線する場合、信号線を介して伝達される信号に走査線を介して伝達される信号に由来するノイズが重畳し、表示される画像が該ノイズの影響を受ける可能性がある。また一般に、ヒトの視感度は通常の昼光条件では波長５６０ｎｍ付近（緑色）で最大となり波長が長く或いは短くなると視感度は減少することが知られている。そこで本実施形態では、走査線６０１により伝達される信号に由来するノイズが、液晶表示装置１４に表示されユーザに認識される画像に与える影響を低減させるため、例えばＶＧＡ（６４０ＲＧＢ×４８０）やＸＧＡ(１０２４ＲＧＢ×７６８)のように、走査線の本数が各色の信号線の本数よりも少ない場合、引き回し線６１１を、図５に模式的に示す様に、比較的視感度が低い青色（Ｂ）の信号を伝達する信号線６０６に沿わせるように配設する。即ち、全ての引き回し線は各々、引き回し線と青色（Ｂ）の信号を伝達する全ての信号線６０６との距離のうち最短となる距離が、その引き回し線と他の色の信号を伝達する全ての信号線６０６との距離のうち最短となる距離よりも短くなるように引き回し線を配設する。これにより、視感度の高い緑色（Ｇ）に重畳されるノイズの量が視感度の低い青色（Ｂ）に重畳されるノイズの量に比して少なくなるので、液晶表示装置１４に表示される画像におけるノイズの影響がユーザに認識され難くなる。
【００２８】
次に、引き回し線６１１を有する薄膜トランジスタ液晶表示装置の構造について図６を参照して説明する。図６（ａ）はアクティブ基板の単位画素の平面図であり、図６（ｂ）及び図６（ｃ）は、それぞれ図６（ａ）中のｂ−ｂ’線矢視断面図及びｃ−ｃ’線矢視断面図である。
【００２９】
図６（ａ）において、ＴＦＴ１０１２のゲート電極は走査線６０１を兼ねているとともに、ドレイン電極は信号線６０６を兼ねている。そして、上述したように、走査線６０１と信号線６０６とが互いに交差するようにそれぞれ配設されている。また、ＴＦＴ１０１２のソース電極は画素電極１０１１に接続されている。さらに、画素電極１０１１の裏側には誘電膜６１３を介して容量線６０２が配設されている。画素電極１０１１、誘電膜６１３、容量線６０２によって蓄積容量が形成される。この蓄積容量は、画素電極１０１１に供給されるデータ信号に基づく画素電極電圧を１フレームの間保持しておくためのものである。
【００３０】
ここで、図６（ａ）ではＴＦＴ１０１２のドレイン電極を信号線６０６と兼用させ、ソース電極を画素電極１０１１と接続している。これとは逆に、ＴＦＴ１０１２のソース電極を信号線６０６と兼用させ、ドレイン電極を画素電極１０１１と接続するようにしても良い。
【００３１】
次に、図６（ｂ）、図６（ｃ）を参照して薄膜トランジスタ液晶表示装置の構造についてさらに説明する。図６（ｂ）に示す通り、透明性が高い絶縁性基板としての例えばガラス基板である画素側基板１０１上には、ＴＦＴ１０１２のゲート電極を兼ねる走査線（ゲート電極）６０１が形成されている。その上には絶縁膜６０３が積層されている。その上にはトランジスタのチャネルとなる例えばノンドープアモルファスシリコン６０４が、更にその上にはＴＦＴ１０１２のソース・ドレインとなる例えばｎ＋アモルファスシリコン６０５が積層されている。それらの上には信号線（ドレイン電極）６０６とソース電極６０７が形成されており、それら電極の形状に合わせてｎ＋アモルファスシリコン６０５は食刻されている。また、ソース電極６０７は、絶縁膜６０３上に配された画素電極１０１１に接続されている。これら信号線（ドレイン電極）６０６及びソース電極６０７を絶縁膜６０８が覆っている。更に図６に示した通り、画素側基板１０１の全面に透明性の絶縁層として平坦化層６０９が形成されている。
【００３２】
図６（ｃ）に示した位置においては、図６（ｂ）で示した位置と同様に、画素側基板１０１上に、下から順に、走査線（ゲート電極）６０１と、絶縁膜６０３と、信号線（ドレイン電極）６０６及びノンドープアモルファスシリコン６０４と、絶縁膜６０８と、平坦化層６０９とが形成されている。そして、走査線（ゲート電極）６０１上には、開口部６１０が形成されている。この開口部６１０を介して、平坦化層６０９上に形成されている引き回し線６１１と走査線（ゲート電極）６０１が接続されている。平坦化層６０９上の引き回し線６１１と、それと走査線（ゲート電極）６０１を接続する線は、絶縁膜６１２で覆われている。
【００３３】
以上の通り、図６の様な構造の薄膜トランジスタ液晶表示装置を用いて、図５に示した通り、走査線（ゲート電極）６０１を、青色に対応したデータ信号を伝達する信号線（ドレイン電極）６０６に沿わせた引き回し線６１１で走査ドライバ２００と接続することにより、図２に示した通り走査ドライバ２００及び信号ドライバ３００等を、表示パネル１００の一辺に配置することができる。これは、液晶表示装置１４の小型・省スペース化に貢献する。また、引き回し線６１１を、ヒトの視感度の低い青色に対応したデータ信号を伝達する信号線（ドレイン電極）６０６に沿わせることにより、引き回し線６１１により伝達される信号に由来するノイズが、ユーザの認識する画像に与える影響を低減させることができる。
【００３４】
なお、本実施形態では、引き回し線６１１を青色に対応したデータ信号を伝達する信号線（ドレイン電極）６０６に沿わせたが、同程度にヒトの視感度が低い赤色に対応したデータ信号を伝達する信号線（ドレイン電極）６０６に沿わせても良い。
【００３５】
次に本実施形態の第１の変形例を示す。青色に対応したデータ信号を伝達する信号線（ドレイン電極）６０６の１つに対して１つの引き回し線６１１を割り当てるとすると、走査線の本数が各色の信号線の本数よりも多い場合、引き回し線６１１全てを青色に対応したデータ信号を伝達する信号線（ドレイン電極）６０６に沿わせることができない。この様な場合は、図７に示す様に、青色に対応したデータ信号を伝達する信号線（ドレイン電極）６０６に次いで、青色と同様に比較的視感度が低い赤色に対応したデータ信号を伝達する信号線（ドレイン電極）６０６に沿わせて、引き回し線６１１を配線する。これにより本実施形態と同様の効果を得ることができる。
【００３６】
なお、本変形例では、引き回し線６１１を、青色に対応したデータ信号を伝達する信号線６０６に優先させて沿わせ、次いで、赤色に対応したデータ信号を伝達する信号線６０６に沿わせたが、赤色に対応したデータ信号を伝達する信号線６０６を優先させ、次いで青色に対応したデータ信号を伝達する信号線６０６に沿わせても良い。
【００３７】
次に本実施形態の第２の変形例を示す。本実施形態では、従来用いられてきた走査ドライバ２００及び信号ドライバ３００を用いたが、本変形例では、図８に示す通り、走査線Ｇａｔｅ（ｊ）の端子と信号線Ｓ（ｉ）の端子とを交互に備える新規ドライバ２５０を用いる。この場合も本実施形態と同様の効果を得ることができる。また、図８に示す新規ドライバ２５０を用いれば、従来のドライバを用いるよりも引き回し線６１１を用いた配線を行い易い。
【００３８】
［第２の実施形態］
次に、本発明の第２の実施形態について図面を参照して説明する。ここで第２の実施形態の説明では、第１の実施形態との相違点に限定して説明する。また、第１の実施形態と同一の部分については同一の符号を付して、その説明は省略する。  
第１の実施形態では、走査線Ｇａｔｅ（ｊ）に引き回し線６１１を接続し、それを信号線Ｓ（ｉ）に沿わせているが、本実施形態では図９に示す様に、信号線Ｓ（ｉ）に引き回し線６１１を接続し、それを走査線Ｇａｔｅ（ｊ）に沿わせる。
【００３９】
ここで、信号線Ｓ（ｉ）を走査線Ｇａｔｅ（ｊ）に沿わせる際、第１の実施形態の場合と同様に、走査線Ｇａｔｅ（ｊ）で伝達される信号が信号線Ｓ（ｉ）で伝達される信号に与えるノイズによる画像への影響を抑制するべく、視感度の高い緑色（Ｇ）の信号へのノイズの重畳を抑制する。即ち、図１０に示す様に、全ての引き回し線は各々、緑色（Ｇ）以外に対応したデータ信号を伝達する引き回し線６１１と全ての走査線６０１との距離のうち最短となる距離が、全ての緑色（Ｇ）に対応したデータ信号を伝達する引き回し線６１１と全ての走査線６０１との距離のうち最短となる距離よりも短くなるように、走査線６０１に対して各色に対応した引き回し線６１１を沿わせる。
【００４０】
図１０の例では、走査線に近いほうから順に、青色（Ｂ）、赤色（Ｒ）、緑色（Ｇ）の信号を伝達する引き回し線６１１をそれぞれ配線している。
【００４１】
上述の様な引き回し線は、図６を参照して説明する第１の実施形態の場合と同様に、平坦化層６０９上に形成される。この際、図１１に示す様に、信号線６０６まで食刻して形成された開口部６１０を介して、平坦化層６０９上の引き回し線６１１と信号線６０６が接続される。ここで図１１の画素電極１０１１に記しているＲＧＢはそれぞれ画素の色（赤色（Ｒ）、緑色（Ｇ）、青色（Ｂ））を示す。
【００４２】
以上の様に構成することで、図９に示した通り走査ドライバ２００及び信号ドライバ３００等を表示パネル１００の一辺に配置することができる。これは、液晶表示装置１４の小型・省スペース化に貢献する。また、ヒトの視感度が比較的高い緑色に対応したデータ信号を伝達する信号線６０６の引き回し線６１１を、走査線６０１から遠ざけることにより、走査線６０１により伝達される信号に由来するノイズがユーザの認識する画像に与える影響を低減させることができる。
【００４３】
なお、本実施形態では、走査線に近いほうから順に、青色（Ｂ）、赤色（Ｒ）、緑色（Ｇ）の信号を伝達する引き回し線６１１を配線したが、この順番は、赤色（Ｒ）、青色（Ｂ）、緑色（Ｇ）としても良い。
【００４４】
また、本実施形態においても、第１の実施形態の第２の変形例と同様に、走査線Ｇａｔｅ（ｊ）と信号線Ｓ（ｉ）を同時に処理できる新規ドライバ２５０を用いても良い。
【００４５】
次に本実施形態の変形例を説明する。本変形例では、図１２に示す様に、青色及び赤色に対応したデータ信号を伝達する信号線６０６のそれぞれに接続される２本の引き回し線６１１を走査線上に配置し、その隣に緑色に対応したデータ信号を伝達する信号線６０６の引き回し線６１１を配置する。これにより、緑色に対応したデータ信号を伝達する信号線６０６の引き回し線６１１は、上述の実施形態の場合と比較して走査線に近づくものの、画素の開口率を向上させることができ、画質の向上につながる。
【００４６】
なお、本変形例においても、第１の実施形態の第２の変形例と同様の新規ドライバ２５０を用いても良い。
【００４７】
また、上述した実施形態においてはサブ画素Ｐｉｘが３色成分（赤（Ｒ）、緑（Ｇ）、青（Ｂ））のそれぞれに対応している例を示しているが、サブ画素Ｐｉｘは必ずしもＲＧＢの３色成分とする必要はない。他の色成分のカラーフィルタを用いる場合であっても、走査線と接続する引き回し線を信号線と平行に配線する場合、視感度の低い色の信号を伝達する全ての信号線と引き回し線との距離のうち最短となる距離が、視感度の高い色の信号を伝達する全ての信号線と引き回し線との距離のうち最短となる距離よりも短くなるように引き回し線を配設すれば良い。また、信号線と接続する引き回し線を走査線と平行に配線する場合、視感度の低い色の信号を伝達する引き回し線と全ての走査線との距離のうち最短となる距離が、視感度の高い色の信号を伝達する引き回し線と全ての走査線との距離のうち最短となる距離よりも短くなるように引き回し線を配設すれば良い。これにより、視感度の高い色に重畳されるノイズの量が視感度の低い色に重畳されるノイズの量に比して少なくなるので、液晶表示装置に表示される画像におけるノイズの影響がユーザに認識され難くなる。また、上述した各実施形態においては液晶表示装置１４が携帯電話機に設けられている例を示している。しかしながら、上述した実施形態の技術はデジタルカメラやＰＤＡ等の、表示装置を有する各種の携帯機器に対して適用可能である。さらには、上述した実施形態の技術は液晶表示装置以外の例えば有機ＥＬ表示装置等に対しても適用可能である。
【００４８】
以上実施形態に基づいて本発明を説明したが、本発明は上述した実施形態に限定されるものではなく、本発明の要旨の範囲内で種々の変形や応用が可能なことは勿論である。
【００４９】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【００５０】
１０…携帯電話機、１１…マイクロフォン、１２…アンテナ、１３…スピーカ、１４…液晶表示装置、１５…操作部、１００…表示パネル、２００…走査ドライバ、３００…信号ドライバ、４００…制御部、５００…電源調整回路、１０１…画素側基板、１０２…対向側基板、１０３…シール材、１０１１…画素電極、１０１２…薄膜トランジスタ（ＴＦＴ）、３０１…サンプリングメモリ、３０２…データラッチ部、３０３…Ｄ／Ａ変換回路（ＤＡＣ）、３０４…表示信号電圧生成回路、４０１…データ変換部、４０２…制御信号生成部、５００…電源調整回路、６０１…走査線（ゲート電極）、６０２…容量線、６０３…絶縁膜、６０４…ノンドープアモルファスシリコン、６０５…ｎ＋アモルファスシリコン、６０６…信号線（ドレイン電極）、６０７…ソース電極、６０８…絶縁膜、６０９…平坦化層、６１０…開口部、６１１…引き回し線、６１２…絶縁膜、６１３…誘電膜。
【図１】
0005454005.tif 000002
【図２】
0005454005.tif 000003
【図３】
0005454005.tif 000004
【図４】
0005454005.tif 000005
【図５】
0005454005.tif 000006
【図６】
0005454005.tif 000007
【図７】
0005454005.tif 000008
【図８】
0005454005.tif 000009
【図９】
0005454005.tif 000010
【図１０】
0005454005.tif 000011
【図１１】
0005454005.tif 000012
【図１２】
0005454005.tif 000013